(57)【特許請求の範囲】
【請求項１】
ジョイントを介して重りと一体の形で容器本体の内部に設けられる内容物通過用の吸上管に異物が流入することを防ぐ機能を持つ吸上管詰まり防止機構において、
前記容器本体の内容物を前記吸上管にその上流側端部から流入させるための通路部を、重り部分ではなく、前記ジョイントの一部に、前記吸上管の最小径部分よりも小さなサイズにて形成した、
ことを特徴とする吸上管詰まり防止機構。
【請求項２】
前記通路部を、前記ジョイントの面部分に溝状部のかたちで設けた、
ことを特徴とする請求項１記載の吸上管詰まり防止機構。
【請求項３】
前記重りを、球状の重り本体とそのホルダとからなり、当該ホルダの内部空間側と前記吸上管の上流側端部側とが遮断され、かつ当該重り本体の一部が当該ホルダから露出するかたちに設定した、
ことを特徴とする請求項１または２記載の吸上管詰まり防止機構。
【発明の詳細な説明】
【０００１】
【発明の属する技術分野】
本発明は、吸上管詰まり防止機構に関し、特にジョイントを介して重りと一体の形で容器本体の内部に設けた内容物通過用の吸上管に異物が流入することを防ぐ機能を持つ吸上管詰まり防止機構に関する。
【０００２】
この吸上管詰まり防止機構は、エアゾール形式の容器やポンプ形式の容器などで用いられる。
【０００３】
【従来の技術】
図６は、重りのホルダ側に異物侵入防止用の小孔を有する吸上管詰まり防止機構を示す説明図である。（ａ）は吸上管詰まり防止機構の断面、（ｂ）はフィルタ作用部分のＡ−Ａ’断面をそれぞれ示している。
【０００４】
図６において、３０は吸上管詰まり防止機構、３１は吸上管、３２は重り本体、３３はお碗状のホルダ、３３ａは内容物流入口、３３ｂは内部空間、３３ｃは重り本体を係止するためホルダ内周面に所定間隔で形成した凸状部、３３ｄは当該凸状部が形成されていない内容物通過用の空間部、３３ｅは内容物の導入路、３３ｆは異物侵入防止用の小孔（フィルタ作用部）、３３ｇは後述のブッシュ３４を固定的に保持する筒状の受部、３４は吸上管３１を保持するブッシュ、３４ａは受部３３ｇと嵌合する突状部、３４ｂは吸上管３１を挟持するテーパ面をそれぞれ示している。
【０００５】
容器本体の内容物は、ホルダ３３に流入して吸上管３１にいたるまで、内容物流入口３３ａ−内部空間３３ｂ−空間部３３ｄ−導入路３３ｅ−小孔３３ｆ−吸上管３１の経路を通っていく。
【０００６】
図示の吸上管詰まり防止機構３０は、吸上管３１の入口側部分に異物侵入防止用の小孔３３ｆを形成し、これによりホルダ３３の内部空間３３ｂを経由した内容物が吸上管３１に流入する際に異物の侵入を防止し、本来の内容物のみが吸上管３１内に流入するようにしている。
【０００７】
そして、ホルダ３３の内部空間３３ｂは重り本体３２の保持部だけではなく、内容物の通路部分にもなっているため、その下部には内容物流入口３３ａが形成され、また内周面には重り３２を確実に保持するための凸部３３ｃが飛び飛びに形成されている。
【０００８】
【発明が解決しようとする課題】
このように、従来の吸上管詰まり防止機構の重りホルダは、重り本体の保持部と放出モードにおける内容物通過部とを兼用している。
【０００９】
そのため、ホルダには、内容物を自らの内部空間に取り込むための流入口や、当該流入口から吸上管までの内容物通路を完全に遮断しない形で重り本体を確実に係止するための凸状部を、設けなければならず、重り部分の構造が複雑になってその製造に手間がかかるという問題点があった。
【００１０】
そこで、本発明では、重り部分（重り本体やそのホルダ）の役割を重り作用のみとし、異物の流入を防止する通路部は、重り部分とは別の、比較的大きな形状の（吸上管を直接保持する）ジョイント部分に形成して、吸上管詰まり防止機構全体の製造の簡単化を図ることを目的とする。
【００１１】
また、球状の重り本体をその一部が露出するかたちでホルダに設定し、容器内の当該ホルダが傾いた状態になる、すなわちホルダと一体のジョイント部分に形成した異物流入防止用の通路部の入口側が少しでも下方に位置するようにして、容器の内容物が少量となったときにもこれを当該入口側から吸上管へと供給できるようにすることを目的とする。
【００１２】
【課題を解決するための手段】
本発明はこの課題を次のように解決する。
（１）ジョイントを介して重りと一体の形で容器本体の内部に設けられる内容物通過用の吸上管に異物が流入することを防ぐ機能を持つ吸上管詰まり防止機構において、前記容器本体の内容物を前記吸上管にその上流側端部から流入させるための通路部を、重り部分ではなく、前記ジョイントの一部に、前記吸上管の最小径部分よりも小さなサイズにて形成する。
（２）上記（１）において、前記通路部を、前記ジョイントの面部分に溝状部のかたちで設ける。
（３）上記（１），（２）において、前記重りを、球状の重り本体とそのホルダとからなり、当該ホルダの内部空間側と前記吸上管の上流側端部側とが遮断され、かつ当該重り本体の一部が当該ホルダから露出するかたちに設定する。
【００１３】
本発明によれば、上記（１）のように、重り付きの吸上管詰まり防止機構における重りと、吸上管上流側の異物流入防止用の通路部とを峻別して、この通路部については吸上管よりも大きな形状のジョイントに形成し、これにより吸上管詰まり防止機構全体の製造の簡単化を図っている。
【００１４】
また、上記（２）のように、ジョイントの面部分に溝状部からなる異物流入防止用の通路部を形成し、これにより重り付き吸上管詰まり防止機構の製造の手間を一段と簡単なものにしている。
【００１５】
また、上記（３）のように、重り本体をその一部が露出するかたちでホルダ内部に保持して、当該ホルダと一体のジョイント部分に形成した異物流入防止用の通路部の入口側が少しでも下方に位置するようにし、これにより容器の内容物が少量となったときの当該内容物の有効利用を図っている。
【００１６】
【発明の実施の形態】
本発明の実施の形態を図１乃至図５を用いて説明する。
図１は、吸上管詰まり防止機構を備えた容器全体の概要を示し、
図２は、図１の吸上管詰まり防止機構のホルダ，ジョイントおよび吸上管の結合関係を拡大的に示し、
図３は、図２のジョイントのみを全体的に示し、
図４は、図２とは別の結合関係を拡大的に示し、
図５は、図４のジョイントのみを全体的に示している。
【００１７】
図２および図３と、図４および図５との違いは、ジョイントの形状（異物流入防止用のスリットなどの形成部分）およびこれにともなう内容物の流入経路である。
【００１８】
これらの図において、
１０は第１の吸上管詰まり防止機構，
１０′は第２の吸上管詰まり防止機構，
１１は吸上管，１１ａはその先端部，
１２は球状の重り本体，
１３は重り本体１２のホルダ，１３ａは鞘状の吸上管差込部，１３ｂは吸上管差込部の上縁部，１３ｃは吸上管差込部の内周面に形成した環状凹部，１３ｄは後述のジョイントを保持する挟持部，１３ｅは吸上管の先端部１１ａを受けて内容物の通路を確保する複数の段部，１３ｆは段部相互間の内容物通路，１３ｇは重り保持具の内周面に形成した重り保持専用の環状凸部，
１４は外面側に異物侵入防止用のフィルター機能を有するジョイント，１４ａは鍔部，１４ｂは異物侵入防止用のスリット，１４ｃは垂下部，１４ｄはこの垂下部１４ｃの外周面側に形成した異物侵入防止用の片部，１４ｅは片部１４ｄと吸上管差込部１３ａとの間の狭間部，１４ｆは吸上管差込部１３ａと係合する突状部，１４ｇは垂下部１４ｃの下側部分に形成した切欠部，１４ｈは吸上管１１を把持するテーパ面，１４ｉは吸上管差込部１３ａの下側内周面と吸上管１１の下側外周面との間の空間部，
１５は内周面側に異物侵入防止用のフィルター機能を有するジョイント，１５ａは鍔部，１５ｂは垂下部，１５ｃは吸上管差込部１３ａと係合する環状突状部，１５ｄは内周面の上下方向に形成した異物侵入防止用のスリット，１５ｅは切欠部，１５ｆは吸上管１１を把持するテーパ面，１５ｇは吸上管差込部１３ａの下側内周面と吸上管１１の下側外周面との間の空間部，
１６は容器本体，
１７は内容物放出機構，
１８は内容物の放出口，
をそれぞれ示している。
【００１９】
図示の吸上管詰まり防止機構は、吸上管，重り（重り本体・そのホルダ）およびジョイントから構成される。
【００２０】
その基本的な特徴は、ジョイントの一部にフィルター機能を有するスリットを形成し、容器内の内容物を当該スリットから直接取り込んで、すなわち重りホルダの内部を経由せずに、吸上管へ流入させるようにしたことである。
【００２１】
したがって、ホルダの内部空間は内容物の通路とはならず、ホルダ内周面に形成した凸部は重り本体の保持専用であり、従来例（図６参照）のように、ホルダ自体に内容物の流入口を形成したり、内容物通過用の空間部を考慮して凸部を形成する必要はない。
【００２２】
本発明の吸上管詰まり防止機構は、各種形式の操作部材や各種方式の内容物放出機構を対象とすることができ、また、容器を正立した（内容物の放出口が上方に位置する）状態でも倒立した状態でも使用することができる。
【００２３】
図１乃至図３を参照して、第１の実施の形態である吸上管詰まり防止機構１０を説明する。
【００２４】
吸上管詰まり防止機構１０の使用モードでは、容器本体１６の内容物はジョイント１４の鍔部１４ａに形成されたスリット１４ｂから流入し、内容物放出機構１７の作用で放出口１８から外部空間へと放出される（図１参照）。なお、内容物放出機構自体は各種の周知のものが用いられる。
【００２５】
球状の重り本体１２はホルダ１３から露出しているので、吸上管詰まり防止機構１０は図示のように傾倒し易く、内容物の量が少なくなったときにもスリット１４ｂの内容物流入側開口部は当該内容物の中に位置する。これにより容器本体１６の内容物を効率的に使い切ることができる。
【００２６】
ホルダ１３の外面の中央部分には、吸上管１１を取り付けるための鞘状の吸上管差込部１３ａが一体成形されている。吸上管差込部１３ａには、吸上管１１の先端部１１ａを受けて内容物の通路を確保するための段部１３ｅや、ジョイント１４を保持する環状凹部１３ｃ，挟持部１３ｄなどが設けられている。
【００２７】
重り本体１２は、ホルダ１３の下部から露出する態様で、ホルダ内周面の環状凸部１３ｇに確実に保持されている。
【００２８】
ジョイント１４は、鍔部１４ａと垂下部１４ｃからなる筒形状であり、鍔部１４ａの下面部分には複数の異物侵入防止用のスリット１４ｂを放射状に形成している（図３参照）。
【００２９】
ジョイント１４の垂下部１４ｃには、その外周面を三等分する態様で、異物侵入防止用の片部１４ｄを形成し、ホルダ１３の吸上管差込部１３ａと嵌合する凸部１４ｆを設けている。また、垂下部１４ｃの下方には２つの切欠部１４ｇを対向する態様で形成し、内周面には吸上管１１を把持するテーパ面１４ｈを形成している。
【００３０】
吸上管１１，ホルダ１３およびジョイント１４の結合関係は、図２に示すように、
・ホルダ１３（吸上管差込部１３ａ）の環状凹部１３ｃでジョイント１４の凸部１４ｆを係合保持するとともに、当該ホルダの挟持部１３ｄでジョイント１４の垂下部１４ｃを挟み込み、
・ジョイント１４のテーパ面１４ｈで吸上管１１を把持した、
状態になっている。
【００３１】
切欠部１４ｇのため比較的変形し易い垂下部（ジョイント）１４ｃは、ホルダ１３の挟持部１３ｄによって強制的に内側に曲げられてテーパ面１４ｈが吸上管１１に強く食い込むので、吸上管１１はジョイント１４に確実に保持される。
【００３２】
内容物は、図２の矢印で示すように、スリット１４ｂ−狭間部１４ｅ−片部１４ｄの間（片部の欠落部分）−切欠部１４ｇ−空間部１４ｉ−段部相互間の内容物通路１３ｆ−吸上管１１の経路で流れる。
【００３３】
異物侵入防止用の片部１４ｄとホルダ１３の吸上管差込部１３ａの内周面との間には狭間部１４ｅが形成されるので、スリット１４ｂに加え、この部分によっても異物の通過を防止することができる。
【００３４】
すなわち、異物は、流れ方向に対する断面積が小さなスリット１４ｂや狭間部１４ｅを通過することができないので、吸上管１１内に侵入することはない。また、図３に示すように、スリット１４ｂから切欠部１４ｇに至るまでの内容物の通路は迂回しているので、内容物が吸上管１１に至るまでの通路は長く、より効果的に異物の侵入を防止することができる。
【００３５】
複数のスリット１４ｂや片部１４ｄ（狭間部１４ｅ）を形成しているので、そのうちの一部が異物によって閉塞された場合にも内容物は他のスリット１４ｂや狭間部１４ｅを通過して吸上管１１内に流入することができる。
【００３６】
容器１６を傾けたり倒立して使用した際にも、重り１２の自重によって吸上管詰まり防止機構１０のスリット１４ｂの流入側開口部は内容物内に位置するので、内容物を吸上管１１内に流入させることができる。この場合にも上述のように異物は吸上管１１内に侵入することはなく、本来の内容物のみが吸上管１１に流入する。
【００３７】
なお、スリット１４ｂおよび片部１４ｄは吸上管１１の最小径部分よりも小さなサイズで形成すればよく、その形状や個数は任意である。また、切欠部１４ｇの形状や個数も任意であり、例えば幅の狭いスリット状の切欠部を垂下部１４ｃの下部全体にわたって形成してもよい。
【００３８】
吸上管詰まり防止機構１０を組み立てる手順は例えば次のようになる。
▲１▼重り本体１２をホルダ１３の内部空間に入れて環状凸部１３ｇに嵌合させる。
▲２▼吸上管１１をジョイント１４の鍔部１４ａ側から入れ、その先端部１１ａをジョイント１４の垂下部１４ｃから露出させる。
▲３▼上記▲１▼の嵌合後のホルダ１３の吸上管差込部１３ａをジョイント１４の垂下部１４ｃの側から挿入し、治具等を用いて、ホルダ１３の段部１３ｅに吸上管１１の先端部１１ａを当接させる。
【００３９】
図４および図５を参照して、第２の実施の形態である吸上管詰まり防止機構１０′を説明する。
【００４０】
なお、上述したように、図４は図２とは別の結合関係を拡大的に示し、図５は図４のジョイント１５のみを示している。図１乃至図３の第１の実施の形態との違いは、ジョイントのスリット形成位置およびこれにともなう内容物の流入経路などである。
【００４１】
すなわち、吸上管詰まり防止機構１０′のジョイント１５の場合、その内周面側に異物侵入防止用のスリット１５ｄを吸上管１１の最小径部分よりも小さなサイズで形成している。
【００４２】
また、ジョイント１５の垂下部１５ｂの外周面には、ホルダ１３（吸上管差込部１３ａ）の環状凹部１３ｃと係合する環状突状部１５ｃが形成され、下方には切欠部１５ｅが一箇所に形成されている。
【００４３】
吸上管１１，重り本体１２，ホルダ１３それぞれの形状や、全体の組立方法などは吸上管詰まり防止機構１の場合と同様である。
【００４４】
内容物は、図４の矢印で示すように、スリット１５ｄ−切欠部１５ｅ−空間部１５ｇ−段部相互間の内容物通路１３ｆ−吸上管１１の経路で流れる。
【００４５】
異物は、スリット１５ｄを通過できないので、吸上管１１まで流入することはない。また、複数のスリット１５ｄを形成しているので、一部のスリット１５ｄが異物によって閉塞された場合にも内容物は他のスリット１５ｄを通過して吸上管１１に流入することができる。
【００４６】
本発明の吸上管詰まり防止機構は、重り作用部と、異物流入防止用通路部とを峻別するという基本概念の下で、種々の変形例をとりえることは勿論である。
【００４７】
例えば、
・ジョイント１５に、異物流入防止用の複数の孔部を、上述のスリットに代え、またはこれと併用する形で設けたり、
・図３のスリット１４ｂ，狭間部１４ｅと、図５のスリット１５ｄとを併用したり、
・重り本体１２とホルダ１３を単一化する、すなわち重り本体１２に吸上管差込部を形成する、
ようにしてもよい。
【００４８】
【発明の効果】
本発明では、このように、重り付きの吸上管詰まり防止機構における重りと、吸上管上流側の異物流入防止用の通路部とを峻別し、この通路部については吸上管よりも大きな形状のジョイントに形成しているので、吸上管詰まり防止機構全体の製造の簡単化を図ることができる。
【００４９】
また、ジョイントの面部分に溝状部からなる異物流入防止用の通路部を形成しているので、重り付き吸上管詰まり防止機構の製造の手間を一段と簡単なものにすることができる。
【００５０】
また、重り本体をその一部が露出するかたちでホルダ内部に保持し、当該ホルダと一体のジョイント部分に形成した異物流入防止用の通路部の入口側が少しでも下方に位置するようにしているので、容器の内容物が少量となったときの当該内容物の有効利用を図ることができる。
【図面の簡単な説明】
【図１】本発明の、吸上管詰まり防止機構を備えた容器全体の概要を示す説明図である。
【図２】本発明の、図１の吸上管詰まり防止機構のホルダ，ジョイントおよび吸上管の結合関係を拡大的に示す説明図である。
【図３】本発明の、図２のジョイントのみを全体的に示す説明図である。
【図４】本発明の、図２とは別の結合関係を拡大的に示す説明図である。
【図５】本発明の、図４のジョイントのみを全体的に示す説明図である。
【図６】従来の、吸上管詰まり防止機構を示す説明図である。
【符号の説明】
１０：第１の吸上管詰まり防止機構
１０′：第２の吸上管詰まり防止機構
１１：吸上管
１１ａ：先端部
１２：球状の重り本体
１３：ホルダ
１３ａ：鞘状の吸上管差込部
１３ｂ：上縁部
１３ｃ：環状凹部
１３ｄ：挟持部
１３ｅ：複数の段部
１３ｆ：内容物の通路
１３ｇ：重り保持専用の凸部
１４：第１のジョイント
１４ａ：鍔部
１４ｂ：異物侵入防止用のスリット
１４ｃ：垂下部
１４ｄ：異物侵入防止用の片部
１４ｅ：狭間部
１４ｆ：突状部
１４ｇ：切欠部
１４ｈ：テーパ面
１４ｉ：空間部
１５：第２のジョイント
１５ａ：鍔部
１５ｂ：垂下部
１５ｃ：環状突状部
１５ｄ：異物侵入防止用のスリット
１５ｅ：切欠部
１５ｆ：テーパ面
１５ｇ：空間部
１６：容器本体
１７：内容物放出機構
１８：内容物の放出口
３０：吸上管詰まり防止機構
３１：吸上管
３２：重り本体
３３：ホルダ
３３ａ：内容物流入口
３３ｂ：内部空間
３３ｃ：凸状部
３３ｄ：内容物通過用空間部
３３ｅ：内容物導入路
３３ｆ：異物侵入防止用の小孔
３３ｇ：受部
３４：ブッシュ
３４ａ：突状部
３４ｂ：テーパ面
【図１】
0003588653.tif 000002
【図２】
0003588653.tif 000003
【図３】
0003588653.tif 000004
【図４】
0003588653.tif 000005
【図５】
0003588653.tif 000006
【図６】
0003588653.tif 000007